(57)【要約】【課題】ベッドのベッド本体に掛かる荷重を検出するベッド用荷重検出器であって、ベッドへの設置作業を容易に行うことができるものを提供する。【解決手段】ベッド用荷重検出器１は、ベッド設置面35上に設定されたベッド本体31とベッド設置面35との間の空所36に配置され、ベッド本体31を荷重受け部３で受けた状態でベッド本体31に掛かる荷重を検出するのである。さらに、荷重検出器１は、ベッド本体31を荷重受け部３で受けた状態で荷重受け部３を上昇させることにより、ベッド30を持ち上げる持上げ手段10を備えている。【選択図】図５
2008304397.tif 000002
【特許請求の範囲】
【請求項１】
ベッド設置面上に設置されたベッドのベッド本体とベッド設置面との間の空所に配置され、ベッド本体を荷重受け部で受けた状態でベッド本体に掛かる荷重を検出するベッド用荷重検出器であって、
ベッド本体を荷重受け部で受けた状態で荷重受け部を上昇させることにより、ベッドを持ち上げる持上げ手段を備えていることを特徴とするベッド用荷重検出器。
【請求項２】
荷重受け部の高さ位置を調節する調節手段を備えている請求項１記載のベッド用荷重検出器。
【請求項３】
荷重受け部の受け面に、ベッド本体の下部の一部が嵌合される嵌合凹部が形成されている請求項１又は２記載のベッド用荷重検出器。
【請求項４】
請求項１〜３のいずれかに記載の少なくとも１個の荷重検出器と、
荷重検出器から出力された荷重信号に基づいて、ベッド本体の寝床部における人の在床状況を演算する演算手段と、
を備えていることを特徴とするベッドの在床状況検出装置。
【請求項５】
請求項１〜３のいずれかに記載の少なくとも１個の荷重検出器を、ベッド設置面上に設置されたベッドのベッド本体とベッド設置面との間の空所に配置する配置工程と、
前記配置工程の後で、ベッド本体を荷重検出器の荷重受け部で受けた状態で荷重検出器の持上げ手段により荷重受け部を上昇させることにより、ベッドを持ち上げる持上げ工程と、
前記持上げ工程の後で、ベッド本体に掛かる荷重を荷重検出器により検出する荷重検出工程と、
を含むことを特徴とするベッドの荷重検出方法。
【請求項６】
請求項１〜３のいずれかに記載の少なくとも１個の荷重検出器を、ベッド設置面上に設置されたベッドのベッド本体とベッド設置面との間の空所に配置する配置工程と、
前記配置工程の後で、ベッド本体を荷重検出器の荷重受け部で受けた状態で荷重検出器の持上げ手段により荷重受け部を上昇させることにより、ベッドを持ち上げる持上げ工程と、
前記持上げ工程の後で、ベッド本体に掛かる荷重を荷重検出器により検出する荷重検出工程と、
前記荷重検出工程において荷重検出器から出力された荷重信号に基づいて、ベッド本体の寝床部における人の在床状況を演算する演算工程と、
を含むことを特徴とするベッドの在床状況検出方法。
【発明の詳細な説明】
【技術分野】
【０００１】
本発明は、医療機関、介護施設、宿泊施設、一般家庭等で使用され、ベッド本体に掛かる荷重を検出するベッド用荷重検出器、該荷重検出器を備えたベッドの在床状況検出装置、前記荷重検出器を用いたベッドの荷重検出方法、及び前記荷重検出器を用いたベッドの在床状況検出方法に関する。
【背景技術】
【０００２】
ベッドのベッド本体の寝床部における人（病人、被介護者、乳幼児、健康人等）の在床状況（入床、離床、在床位置、体動等）を検出するための方法として、次のようなものが知られている。
【０００３】
すなわち、ベッドの脚部とベッド設置面（床面等）との間に荷重センサを配置し、該荷重センサからの電気信号に基づいて、人の在床状況を検出する方法である（例えば特許文献１参照）。この方法で用いられる荷重センサには、ベッドの脚部に設けられたベッド移動用キャスタをベッド設置面から荷重センサの荷重受け部上に誘導するためのスロープ部が形成されている。
【０００４】
さらに、ベッドの脚部とベッド設置面との間に配置される荷重検出器として、特開２００６−２５２５４０号公報、特開２００６−２６６８９４号公報、特開２００６−３０２２６６号公報等に記載されたものが知られている（特許文献２−４参照）。
【特許文献１】特開２０００−１０５８８４号公報
【特許文献２】特開２００６−２５２５４０号公報
【特許文献３】特開２００６−２６６８９４号公報
【特許文献４】特開２００６−３０２２６６号公報
【発明の開示】
【発明が解決しようとする課題】
【０００５】
而して、上記従来の荷重センサ等の荷重検出器を用いて荷重を検出する場合には、ベッドの脚部のキャスタを荷重検出器のスロープ部の前側近傍まで移動させたのち、キャスタをスロープ部上を通過させて荷重検出器の荷重受け部上に載置しなければならない。このとき、ベッドの重量が重いためにベッドの操縦性が悪く、そのため、キャスタを荷重検出器のスロープ部の前側近傍まで移動させるのが困難であった。さらに、荷重検出器のスロープ部の傾斜が急な場合には、キャスタの荷重受け部上への載置作業が困難であった。
【０００６】
本発明は、上述した技術背景に鑑みてなされたもので、その目的は、ベッド本体に掛かる荷重を検出するベッド用荷重検出器であって、ベッドへの設置作業を容易に行うことができるベッド用荷重検出器、該荷重検出器を備えたベッドの在床状況検出装置、前記荷重検出器を用いたベッドの荷重検出方法、及び前記荷重検出器を用いたベッドの在床状況検出方法を提供することにある。
【課題を解決するための手段】
【０００７】
本発明は以下の手段を提供する。
【０００８】
［１］  ベッド設置面上に設置されたベッドのベッド本体とベッド設置面との間の空所に配置され、ベッド本体を荷重受け部で受けた状態でベッド本体に掛かる荷重を検出するベッド用荷重検出器であって、
ベッド本体を荷重受け部で受けた状態で荷重受け部を上昇させることにより、ベッドを持ち上げる持上げ手段を備えていることを特徴とするベッド用荷重検出器。
【０００９】
［２］  荷重受け部の高さ位置を調節する調節手段を備えている前項１記載のベッド用荷重検出器。
【００１０】
［３］  荷重受け部の受け面に、ベッド本体の下部の一部が嵌合される嵌合凹部が形成されている前項１又は２記載のベッド用荷重検出器。
【００１１】
［４］  前項１〜３のいずれかに記載の少なくとも１個の荷重検出器と、
荷重検出器から出力された荷重信号に基づいて、ベッド本体の寝床部における人の在床状況を演算する演算手段と、を備えていることを特徴とするベッドの在床状況検出装置。
【００１２】
［５］  前項１〜３のいずれかに記載の少なくとも１個の荷重検出器を、ベッド設置面上に設置されたベッドのベッド本体とベッド設置面との間の空所に配置する配置工程と、
前記配置工程の後で、ベッド本体を荷重検出器の荷重受け部で受けた状態で荷重検出器の持上げ手段により荷重受け部を上昇させることにより、ベッドを持ち上げる持上げ工程と、
前記持上げ工程の後で、ベッド本体に掛かる荷重を荷重検出器により検出する荷重検出工程と、
を含むことを特徴とするベッドの荷重検出方法。
【００１３】
［６］  前項１〜３のいずれかに記載の少なくとも１個の荷重検出器を、ベッド設置面上に設置されたベッドのベッド本体とベッド設置面との間の空所に配置する配置工程と、
前記配置工程の後で、ベッド本体を荷重検出器の荷重受け部で受けた状態で荷重検出器の持上げ手段により荷重受け部を上昇させることにより、ベッドを持ち上げる持上げ工程と、
前記持上げ工程の後で、ベッド本体に掛かる荷重を荷重検出器により検出する荷重検出工程と、
前記荷重検出工程において荷重検出器から出力された荷重信号に基づいて、ベッド本体の寝床部における人の在床状況を演算する演算工程と、
を含むことを特徴とするベッドの在床状況検出方法。
【発明の効果】
【００１４】
本発明は以下の効果を奏する。
【００１５】
［１］の発明では、ベッド用荷重検出器は、ベッド本体を荷重受け部で受けた状態で荷重受け部を上昇させることにより、ベッドを持ち上げる持上げ手段を備えている。そのため、例えば、この荷重検出器を、ベッド設置面上に設置されたベッドのベッド本体とベッド設置面との間の空所に配置し、次いでベッド本体を荷重検出器の荷重受け部で受けた状態で持上げ手段によって荷重受け部を上昇させることにより、ベッドを持ち上げる。これにより、荷重検出器のベッドへの設置作業が終了する。したがって、荷重検出器のベッドへの設置作業の際に、ベッドを移動させる必要がなく、もって荷重検出器の設置作業を容易に行うことができる。
【００１６】
［２］の発明では、荷重検出器は荷重受け部の高さ位置を調節する調節手段を備えている。したがって、ベッド本体を荷重受け部で受ける際に、荷重受け部の高さ位置を調節手段によって調節することができる。
【００１７】
［３］の発明では、荷重受け部の受け面に、ベッド本体の下部の一部が嵌合される嵌合凹部が形成されているので、ベッド本体を荷重受け部で受ける際に、嵌合凹部内にベッド本体の下部の一部が嵌合され、この状態でベッド本体が荷重受け部で受けられる。そのため、荷重受け部の受け面に対するベッド本体の位置ずれを防止することができる。
【００１８】
［４］の発明では、ベッド本体の寝床部における人の在床状況を検出することができるベッドの在床状況検出装置を提供できる。
【００１９】
［５］の発明では、本発明に係るベッド用荷重検出器によりベッド本体に掛かる荷重を確実に検出することができる。
【００２０】
［６］の発明では、ベッド本体の寝床部における人の在床状況を検出することができる。
【発明を実施するための最良の形態】
【００２１】
次に、本発明の一実施形態について図面を参照して以下に説明する。
【００２２】
図１〜図３は、本発明の一実施形態に係るベッド用荷重検出器を示す図である。この荷重検出器（１）は、図４及び図５に示すように、ベッド設置面（３５）上に設置されたベッド（３０）のベッド本体（３１）とベッド設置面（３５）との間に形成された空所（３６）に配置されるものであり、例えば、ベッド本体（３１）の寝床部（３１ａ）上への人（Ｈ）の在床時にベッド本体（３１）に掛かる荷重を検出するものである。
【００２３】
また、本発明の一実施形態に係るベッドの在床状況検出装置（２０）は、本実施形態の少なくとも１個の荷重検出器（１）と、該荷重検出器（１）から出力された荷重信号に基づいて、ベッド本体（３１）の寝床部（３１ａ）における人（Ｈ）の在床状況を演算する演算手段（２１）となどを備えている。なお本実施形態では、荷重検出器（１）の個数は４個である。
【００２４】
ベッド（３０）は、一般に市販されているものであって、医療施設（例：病院）、高齢者施設、介護施設、養護施設、宿泊施設（例：ホテル、旅館）、一般家庭等で使用されるものである。このベッド（３０）は、病室、検査室、診察室、宿泊室、寝室等における床面からなるベッド設置面（３５）上に設置されるものである。
【００２５】
このベッド（３０）は、べッド本体（３１）と、該ベッド本体（３１）をベッド設置面（３５）に対して上方に離間した高さ位置に支持する複数個の脚部（３２）とを備えている。
【００２６】
ベッド本体（３１）は、その上面に形成された平面視長方形状の寝床部（３１ａ）と、該寝床部（３１ａ）の下側に水平方向に延びて配置され、ベッド本体（３１）を構成する下フレーム部（３１ｂ）となどを有している。そして、下フレーム部（３１ｂ）に各脚部（３２）が下方突出状に設けられている。
【００２７】
このベッド本体（３１）の寝床部（３１ａ）上には、ベッド使用者として、例えば、病人、認知症患者、高齢者、健康人、乳幼児、宿泊客等の人（Ｈ）が、睡眠、休息、療養、診察、検査等のために様々な姿勢（例：仰臥姿勢、側臥姿勢、伏臥姿勢）で在床する。
【００２８】
ここで本実施形態では、説明の便宜上、ベッド本体（３１）の寝床部（３１ａ）上に人（Ｈ）が仰臥姿勢（即ち仰向き姿勢）で就寝する状態において、人（Ｈ）の頭側を「ベッド本体（３１）の頭側」、人（Ｈ）の足側を「ベッド本体（３１）の足側」、人（Ｈ）の右側を「ベッド本体（３１）の右側」、及び、人（Ｈ）の左側を「ベッド本体（３１）の左側」という。
【００２９】
本実施形態では、ベッド（３０）の脚部（３２）の個数は例えば４個であり、すなわち、ベッド（３０）は、ベッド本体（３１）の頭側右脚部（３２）、頭側左脚部（３２）、足側右脚部（３２）及び足側左脚部（３２）を備えている。各脚部（３２）は、ベッド本体（３１）に対して下方向に突出して設けられている。さらに、各脚部（３２）の下端部にはベッド移動用キャスタ（３２ａ）が固定状態に設けられている。なお本発明では、各脚部（３２）の下端部には必ずしもキャスタ（３２ａ）は設けられていなくても良い。
【００３０】
なお本発明では、ベッド（３０）は、就寝用や休息用ベッドであることに限定されるものではなく、その他に、診察台、検査台、ソファー等であっても良い。
【００３１】
図１〜図３に示すように、本実施形態の荷重検出器（１）は、荷重検出手段（２）と、該荷重検出手段（２）の下側に配置された持上げ手段（１０）となどを備えている。
【００３２】
荷重検出手段（２）は、ロードセルからなるものであり、すなわち、荷重検出手段（２）は、ベッド本体（３１）をその下側から受ける円板状の荷重受け部（３）を有しており、ベッド本体（３１）を荷重受け部（３）で受けた状態で、ベッド本体（３１）から荷重受け部（３）に伝達される荷重を、ベッド本体（３１）に掛かる荷重として検出するものである。
【００３３】
この荷重検出手段（２）の構成について説明すると、次のとおりである。
【００３４】
図３に示すように、荷重検出手段（２）は、鉛直に配置された円筒状のカバー体（４）と、該カバー体（４）の上端部に該上端部の開口を閉塞した状態に溶接等により固着された円板状の上壁部（５）と、カバー体（４）の上下方向中間部の内側に配置された円板状の支持壁部（７）と、上壁部（５）と支持壁部（７）との間に配置された起歪体（６）となどを有している。さらに、荷重受け部（３）が上壁部（５）の上側に配置されるとともに該上壁部（５）に後述する調節手段（８）を介して連結支持されている。
【００３５】
荷重受け部（３）、カバー体（４）、上壁部（５）及び支持壁部（７）は、剛性を有しており、例えば金属製である。
【００３６】
荷重受け部（３）の上面からなる受け面（３ａ）には、該受け面（３ａ）に対するベッド本体（３１）の位置ずれを防止する位置ずれ防止用凹部として、ベッド本体（３１）の下フレーム部（３１ｂ）の一部が嵌合される嵌合凹部（３ｂ）が形成されている。この嵌合凹部（３ｂ）の一対の対向する側面（３ｃ）（３ｃ）は、上方に進むにつれて両者の間隔が漸次広くなるように傾斜した斜面に形成されている。
【００３７】
支持壁部（７）は、起歪体（６）及び上壁部（５）を支持するものであり、カバー体（４）の上下方向中間部の内側に、カバー体（４）に対して非固定状態に且つカバー体（４）に対して相対的にその軸方向（即ち上下方向）に移動可能に配置されている。
【００３８】
起歪体（６）は、アルミニウム合金等の金属製であり、ロバーバル機構を有するものである。この起歪体（６）の固定端としての一端は支持壁部（７）に固定されており、起歪体（６）の自由端（可動端）としての他端は上壁部（５）に取り付けられている。
【００３９】
さらに、起歪体（６）には、ベッド本体（３１）から荷重受け部（３）に伝達された荷重の検出に用いられる荷重信号を出力する荷重信号出力手段として、少なくとも１個の歪みゲージ（図示せず）が貼着されている。この歪みゲージは、起歪体（６）に生じた歪みを検出するものであり、この歪みゲージからは、起歪体（６）の歪みの大きさに対応した電気信号（例：電圧）が荷重信号として出力される。この荷重信号に基づいて、ベッド本体（３１）から荷重受け部（３）に伝達された荷重が、ベッド本体（３１）に掛かる荷重として、後述する演算手段（２１）に搭載された荷重演算部（１５）により演算されて検出される（図４及び図５参照）。なお本発明では、荷重演算部（１５）は、演算手段（２１）ではなく荷重検出器（１）に搭載されていても良い。
【００４０】
また、荷重受け部（３）と上壁部（５）との間には、荷重受け部（３）の高さ位置を手動で調節（詳述すると微調節）する調節手段（詳述すると微調節手段）（８）が介在されている。
【００４１】
この調節手段（８）の構成は次のとおりである。荷重受け部（３）の中央部には、下方向に突出したねじ棒部（８ａ）が荷重受け部（３）と一体に設けられている。上壁部（５）の上面の中央部には、ねじ棒部（８ａ）に対応したねじ穴部（８ｂ）が設けられている。そして、ねじ棒部（８ａ）がねじ穴部（８ｂ）と螺合されることにより、荷重受け部（３）がねじ棒部（８ａ）を介してその高さ位置を調節可能に上壁部（５）に連結支持されている。荷重受け部（３）の高さ位置の調節は、荷重受け部（３）を手の力でねじ棒部（８ａ）を中心に回転させることにより、行われる。
【００４２】
持上げ手段（１０）は、例えばパンタグラフジャッキ（ねじジャッキ）（１１）により構成されたものである。
【００４３】
ジャッキ（１１）は、剛性を有する円板状の底台部（１２）と支持壁部（７）との間に配置されている。底台部（１２）は、ベッド設置面（３５）と当接してベッド設置面（３５）上に載置されるものであり、カバー体（４）の下端部の内側に、該下端部の下端面よりも下側にはみ出した状態に且つカバー体（４）に対して非固定状態に配置されている。そして、この底台部（１２）の上面にジャッキ（１１）の底部が固定されるとともに、ジャッキ（１１）の上部の持上げ部（荷受け部）（１１ｂ）が支持壁部（７）の下面に取り付けられている。
【００４４】
さらに、ジャッキ（１１）の持上げ部（１１ｂ）を昇降動作させる操作部（１１ａ）が、カバー体（４）の外側に配置されている。この操作部（１１ａ）にはハンドル（図示せず）が分離可能に接続される。そして、このジャッキ（１１）は、操作部（１１ａ）に接続したハンドルで操作部（１１ａ）を手の力で正方向又は逆方向に回転させることにより、持上げ部（１１ｂ）が上昇又は下降動作し、これに伴い荷重受け部（３）を上昇又は下降させるように構成されている。
【００４５】
本実施形態のベッドの在床状況検出装置（２０）は、上述したように、上記４個の荷重検出器（１）を始め、その他に、演算手段（２１）などを備えている。なお、図４において、（２２）は、荷重検出器（１）から出力された荷重信号を演算手段（２１）に送信する信号線である。
【００４６】
この在床状況検出装置（２０）における荷重検出器（１）は、ベッド設置面（３５）上に設置されたベッド（３０）のベッド本体（３１）とベッド設置面（３５）との間の空所（３６）における、ベッド本体（３１）の寝床部（３１ａ）の頭側右部、頭側左部、足側右部及び足側左部の下側の位置に１個ずつ配置されている。これにより、ベッド本体（３１）の頭側右部、頭側左部、足側右部及び足側左部に掛かる荷重が、これらの荷重検出器（１）により検出される。
【００４７】
演算手段（２１）は、ＲＯＭ、ＲＡＭその他のメモリ、ＣＰＵ等を有するコンピュータにより構成されたものであり、これらの荷重検出器（１）から出力された荷重信号に基づいて、ベッド本体（３１）の寝床部（３１ａ）における人（Ｈ）の在床状況を演算するものである。演算手段（２１）は、在床状況を演算するのに必要なプログラム、数値等が予め記憶設定された記憶部を有している。
【００４８】
在床状況としては、寝床部（３１ａ）上への人（Ｈ）の入床、人（Ｈ）が在床した寝床部（３１ａ）の重心位置（即ち、寝床部（３１ａ）上における人（Ｈ）の在床位置）、人（Ｈ）の体動（例：寝返り）の有無又はその頻度、寝床部（３１ａ）上からの人（Ｈ）の離床などが挙げられる。
【００４９】
さらに、演算手段（２１）には、上述したように、各荷重検出器（１）から出力された荷重信号に基づいて、荷重を演算する荷重演算部（１５）が搭載されている。なお本発明では、演算手段（２１）は、荷重演算部（１５）により演算された荷重に基づいて、人（Ｈ）の在床状況を演算するように構成されていても良い。
【００５０】
次に、本実施形態の荷重検出器（１）を用いたベッドの在床状況検出方法について以下に説明する。
【００５１】
まず、本実施形態の荷重検出器（１）を４個準備する。一方、ベッド（３０）は、ベッド設置面（３５）上における所定の位置に設置されている。この状態では、ベッド（３０）のベッド本体（３１）は、複数個の脚部（３２）によってベッド設置面（３５）に対して上方に離間した高さ位置に支持されている。そのため、ベッド本体（３１）とベッド設置面（３５）との間に空所（３６）が形成されている。この空所（３６）のベッド設置面（３５）からの高さは、例えば１００〜４００ｍｍである。
【００５２】
次いで、図４に示すように、空所（３６）の高さよりも低い高さに予め設定された荷重検出器（１）を、ベッド設置面（３５）上における、ベッド本体（３１）の寝床部（３１ａ）の頭側右部、頭側左部、足側右部及び足側左部の下側の位置に１個ずつ載置する。これにより、荷重検出器（１）がベッド本体（３１）とベッド設置面（３５）との間の空所（３６）に配置される［配置工程］。
【００５３】
次いで、荷重検出器（１）の荷重受け部（３）を手の力でねじ棒部（８ａ）を中心に荷重受け部（３）が上昇する回転方向に回転させて、荷重受け部（３）の高さ位置をベッド本体（３１）の下フレーム部（３１ｂ）の近傍位置に調節する。
【００５４】
次いで、荷重検出器（１）の持上げ手段（１０）のジャッキ（１１）の操作部（１１ａ）にハンドルを接続し、該ハンドルで操作部（１１ａ）を正方向に回転させることにより、ジャッキ（１１）の持上げ部（１１ｂ）を上昇動作させ、これにより荷重受け部（３）を荷重検出手段（２）ごと上昇させる。すると、荷重受け部（３）の受け面（３ａ）の嵌合凹部（３ｂ）内にベッド本体（３１）の下フレーム部（３１ｂ）の一部がその下側から嵌合し、この状態でベッド本体（３１）がその下側から荷重受け部（３）で受けられる。さらに、こうしてベッド本体（３１）を荷重受け部（３）で受けた状態で、荷重受け部（３）を上昇させていくことにより、ベッド（３０）をベッド設置面（３５）に対して持ち上げる［持上げ工程］。そして、図５に示すように、ベッド（３０）の脚部（３２）がベッド設置面（３５）から上方に例えば５〜２０ｍｍ位離れた状態になったとき、ジャッキ（１１）の持上げ部（１１ｂ）の上昇操作を停止する。次いで、ハンドルを操作部（１１ａ）から分離する。
【００５５】
４個の荷重検出器（１）の全てを上記の状態にし、その後、ベッド本体（３１）から荷重受け部（３）に伝達された荷重を、ベッド本体（３１）に掛かる荷重として荷重検出器（１）（即ち荷重検出手段（２））により検出する［荷重検出工程］。
【００５６】
そして、これらの荷重検出器（１）から出力された荷重信号に基づいて、ベッド本体（３１）の寝床部（１３ａ）における人（Ｈ）の在床状況を演算手段（２１）により演算する［演算工程］。
【００５７】
以上の工程を経ることにより、ベッド本体（３１）の寝床部（３１ａ）における人（Ｈ）の在床状況が検出される。
【００５８】
而して、本実施形態のベッド用荷重検出器（１）は、以下の利点がある。
【００５９】
荷重検出器（１）は、ベッド本体（３１）を荷重受け部（３）で受けた状態で荷重受け部（３）を上昇させることにより、ベッド本体（３１）を持ち上げる持上げ手段（１０）を備えている。そのため、この荷重検出器（１）を、ベッド設置面（３５）上に設置されたベッド（３０）のベッド本体（３１）とベッド設置面（３５）との間の空所（３６）に配置し、次いでベッド本体（３１）を荷重検出器（１）の荷重受け部（３）で受けた状態で持上げ手段（１０）によって荷重受け部（３）を上昇させることにより、ベッド（３０）を持ち上げる。これにより、荷重検出器（１）のベッド（３０）への設置作業が終了する。したがって、荷重検出器（１）のベッド（３０）への設置作業の際に、ベッド（３０）を移動させる必要がなく、もって荷重検出器（１）の設置作業を容易に行うことができる。さらに、この荷重検出器（１）は、既存の殆どのベッド（３０）に対して適用することができる。
【００６０】
さらに、荷重検出器（１）は、荷重受け部（３）の高さ位置を調節する調節手段（８）を備えている。したがって、ベッド本体（３１）を荷重受け部（３）で受ける際に、荷重受け部（３）の高さ位置を微調節することができる。
【００６１】
さらに、荷重受け部（３）の受け面（３ａ）に、ベッド本体（３１）の下フレーム部（３１ｂ）の一部が嵌合される嵌合凹部（３ｂ）が形成されているので、ベッド本体（３１）を荷重受け部（３）で受ける際に、嵌合凹部（３ｂ）内にベッド本体（３１）の下フレーム部（３１ｂ）の一部が嵌合され、この状態でベッド本体（３１）が荷重受け部（３）で受けられる。そのため、荷重受け部（３）の受け面（３ａ）に対するベッド本体（３１）の位置ずれを防止することができる。
【００６２】
また、本実施形態のベッドの在床状況検出装置（２０）は、本実施形態の４個の荷重検出器（１）と、これらの荷重検出器（１）から出力された荷重信号に基づいて、ベッド本体（３１）の寝床部（３１ａ）における人（Ｈ）の在床状況を演算する演算手段（２１）とを備えている。したがって、在床状況検出装置（２０）は、ベッド本体（３１）の寝床部（３１ａ）における人（Ｈ）の在床状況を検出することができる。
【００６３】
また、本実施形態のベッドの荷重検出方法は、ベッド本体（３１）に掛かる荷重を確実に検出することができる。
【００６４】
また、本実施形態のベッドの在床状況検出方法は、ベッド本体（３１）の寝床部（３１ａ）における人（Ｈ）の在床状況を検出することができる。
【００６５】
以上で本発明の実施形態について説明したが、本発明は、上記実施形態に示したものであることに限定されるものではない。
【００６６】
例えば、本実施形態では、荷重検出器（１）の持上げ手段（１０）は、パンタグラフジャッキ（１１）により構成されたものであるが、本発明では、持上げ手段（１０）はパンタグラフジャッキ（１１）により構成されたものであることに限定されるものではなく、その他に、例えば、ポンプ一体型又はポンプ分離型の流体圧ジャッキ（例：油圧ジャッキ）により構成されたものであっても良いし、手動又は電動で駆動されるジャッキにより構成されたものであっても良い。
【００６７】
また、本実施形態では、在床状況検出装置（２０）に用いられる荷重検出器（１）の個数は４個であるが、本発明では、荷重検出器（１）の個数は４個であることに限定されるものではなく、１個であっても良いし、２個以上であっても良い。
【産業上の利用可能性】
【００６８】
本発明は、ベッド本体に掛かる荷重を検出するベッド用荷重検出器、該荷重検出器を備えたベッドの在床状況検出装置、前記荷重検出器を用いたベッドの荷重検出方法、及び前記荷重検出器を用いたベッドの在床状況検出方法に利用可能である。
【図面の簡単な説明】
【００６９】
【図１】図１は、本発明の一実施形態に係るベッド用荷重検出器の平面図である。
【図２】図２は、同荷重検出器の側面図である。
【図３】図３は、同荷重検出器の断面図である。
【図４】図４は、同荷重検出器をベッド本体とベッド設置面との間の空所に配置した状態を示すベッドの側面図である。
【図５】図５は、同荷重検出器の持上げ手段によりベッドを持ち上げた状態を示すベッドの側面図である。
【符号の説明】
【００７０】
１…荷重検出器
３…荷重受け部
３ａ…受け面
３ｂ…嵌合凹部
４…カバー体
６…起歪体
８…調節手段
１０…持上げ手段
１１…ジャッキ
１１ａ…操作部
１１ｂ…持上げ部
２０…ベッドの在床状況検出装置
２１…演算手段
３０…ベッド
３１…ベッド本体
３１ａ…寝床部
３１ｂ…下フレーム部（ベッド本体の下部）
３２…脚部
３５…ベッド設置面
３６…空所
Ｈ…人
【図１】
2008304397.tif 000003
【図２】
2008304397.tif 000004
【図３】
2008304397.tif 000005
【図４】
2008304397.tif 000006
【図５】
2008304397.tif 000007